(57)【要約】【課題】半透過領域を有する反射板及びそれを備える照明装置、並びにそれらを備える液晶表示装置について、反射板の構成を簡単にして製造コストを低減すると共に、反射光の輝度と、半透過領域における透過光の輝度とをそれぞれ好適に高める。【解決手段】  液晶表示装置１は、バックライト２０と、バックライト２０の表裏両側にそれぞれ設けられたメイン液晶表示パネル２及びサブ液晶表示パネル２４とを備えている。バックライト２０は、反射板９と、光源３と、反射板９に対向して設けられ、光源３の光を導く導光板８とを備えている。そして、反射板９は、多数の微細な気泡を含有する発泡フィルムにより構成され、外光を反射する反射板であって、外光の少なくとも一部を透過させる半透過領域２２を備え、半透過領域２２は、発泡フィルムの薄肉部３０により構成されている。【選択図】図１
2005062716.tif 000002
【特許請求の範囲】
【請求項１】
多数の微細な気泡を含有する発泡フィルムにより構成され、外光を反射する反射板であって、
外光の少なくとも一部を透過させる半透過領域を備え、
上記半透過領域は、上記発泡フィルムの薄肉部により構成されている
ことを特徴とする反射板。
【請求項２】
請求項１において、
上記薄肉部は、圧縮加工により形成されている
ことを特徴とする反射板。
【請求項３】
請求項１において、
上記薄肉部の外縁部分の少なくとも一部は、発泡フィルムの厚みが該薄肉部の内側から外側へ向かって徐々に大きくなる漸増部により構成されている
ことを特徴とする反射板。
【請求項４】
請求項１の反射板と、
光源と、
上記反射板に対向して設けられ、上記光源の光を導く導光体とを備え、
上記反射板は、上記導光体から出射した光を反射するように構成されている
ことを特徴とする照明装置。
【請求項５】
請求項４において、
上記反射板の薄肉部は、圧縮加工により形成されている
ことを特徴とする照明装置。
【請求項６】
請求項４において、
上記反射板の薄肉部の外縁部分の少なくとも一部は、発泡フィルムの厚みが該薄肉部の内側から外側へ向かって徐々に大きくなる漸増部により構成されている
ことを特徴とする照明装置。
【請求項７】
請求項４の照明装置と、
上記照明装置の表裏両側にそれぞれ設けられた複数の液晶表示パネルとを備え、
上記各液晶表示パネルは、上記照明装置の光を調光して表示を行うように構成されている
ことを特徴とする液晶表示装置。
【請求項８】
請求項７において、
上記複数の液晶表示パネルは、メイン液晶表示パネルと、照明装置に対して該メイン液晶表示パネルと反対側に設けられ、表示面積が上記メイン液晶表示パネルよりも小さいサブ液晶表示パネルとを備え、
上記サブ液晶表示パネルは、反射板の薄肉部に対向して設けられている
ことを特徴とする液晶表示装置。
【請求項９】
請求項７において、
上記反射板の薄肉部は、サブ液晶表示パネルと同じ面積に構成されている
ことを特徴とする液晶表示装置。
【請求項１０】
請求項７において、
上記反射板の薄肉部は、圧縮加工により形成されている
ことを特徴とする液晶表示装置。
【請求項１１】
請求項７において、
上記反射板の薄肉部の外縁部分の少なくとも一部は、発泡フィルムの厚みが該薄肉部の内側から外側へ向かって徐々に大きくなる漸増部により構成されている
ことを特徴とする液晶表示装置。
【発明の詳細な説明】
【技術分野】
【０００１】
本発明は、半透過領域を有する反射板及びそれを備える照明装置、並びにそれらを備える液晶表示装置に関する。
【背景技術】
【０００２】
近年、透過型の液晶表示装置（Liquid Crystal Display）は、視認性の点で優れているため、パーソナルコンピュータ等のＯＡ機器、携帯情報機器、及び液晶モニターを備えたカメラー体型ＶＴＲ等に広く用いられている。
【０００３】
ここで、一般的な透過型の液晶表示装置について、図１０を参照して説明する。
【０００４】
図１０は、液晶表示装置１０１の概略構成を示す斜視図である。液晶表示装置１０１は、液晶表示パネル１０２と、該液晶表示パネル１０２を駆動するＩＣチップ１０５が搭載された駆動回路基板１０６と、液晶表示パネル１０２の背面側（液晶表示パネル１０２を介して観察者側と反対側）に設けられたバックライト１２０と、該バックライト１２０、液晶表示パネル１０２、及び駆動回路基板１０９を収納するホルダ１０７とを備えている。
【０００５】
上記駆動回路基板１０６は、フレキシブルプリント基板（以降、ＦＰＣと略称する）１０４を介して液晶表示パネル１０２に接続されている。そして、駆動回路基板１０６は、ホルダ１０７の背面側に装着されるようになっている。
【０００６】
上記バックライト１２０は、ＬＥＤ等の複数の光源１０３と、該光源１０３の光が入射する導光板１０８と、導光板１０８の背面側に設けられた反射板１０９と、導光板１０８の前面側に設けられた拡散シート１１０及びレンズシート１１１とにより構成されている。
【０００７】
導光板１０８は、ポリカーボネートやポリメチルメタクリレート等の透明樹脂材料により構成されている。光源１０３は、ホルダ１０７に設けられ、導光板１０８の入射面に沿って所定の間隔で配列されている。反射板１０９は、導光板１０８に入射した光を液晶パネル１０２側へ反射させるように構成されている。また、拡散シート１１０は、導光板１０８から出射された光を拡散させる一方、レンズシート１１１は、拡散シート１１０で拡散された光を集めて液晶表示パネル１０２へ入射させるように構成されている。
【０００８】
そして、上記反射板１０９は、従来より、微細な気泡を含有する白色ポリエステルフィルム（以降、反射発泡フィルムと称する）により構成することが知られている（例えば、特許文献１参照）。このことにより、反射率を高くして、表示画像の輝度を向上させることができる。
【０００９】
ところで、近年、携帯電話等において、表示装置の表側（観察者側）及び裏側（背面側）の両面で表示を行う両面表示型の液晶表示装置が注目されている。
【００１０】
例えば、図１１に示すように、両面表示型の液晶表示装置３０１は、上述した液晶表示装置１０１の背面側に、該液晶表示装置１０１と同様の構成を有する液晶表示装置２０１を備えている。そして、表側の表示は、液晶表示装置１０１により行う一方、裏側の表示は、液晶表示装置２０１により行うようになっている。
【００１１】
しかし、上記両面表示型の液晶表示装置３０１は、液晶表示装置の構成部材のうち最も厚みが大きい部材である導光板１０８を二重に備えているため、装置全体として大型化してしまうことが避けられない。さらに、導光板１０８や駆動回路基板１０６等も二組必要となるため、部品点数が増加して重量や装置コストが増大してしまうという問題もある。
【００１２】
これに対し、１つの導光板を共通化して両面表示を行うことが知られている（例えば、特許文献２参照）。断面図である図１２に示すように、両面表示型の液晶表示装置３０１は、ホルダ１０７と、該ホルダ１０７内に支持された液晶表示パネル１０２と、該液晶表示パネル１０２の裏側（背面側）でホルダ１０７内に支持された導光板１０８とを備えている。
【００１３】
液晶表示パネル１０２の表面には、第１偏光板１１３が設けられ、該第１偏光板１１３の表側には第１反射板１０９ａが部分的に積層されている。この第１反射板１０９ａが設けられていない領域は、表側表示領域１２１に構成されている。液晶表示パネル１０２の裏面には、第２偏光板１１４が設けられている。
【００１４】
一方、導光板１０８の表面には、無反射層１１５と、光拡散層１１６とが設けられている。無反射層１１５は、上記第１反射板１０９ａに対応して設けられ、導光板１０８の表面と、第２偏光板１１４の裏面との間で狭持されている。光拡散層１１６の表側には、複数の第２反射板１０９ｂが所定の間隔で設けられている。このことにより、光拡散層１１６の表側には、反射領域及び透過領域がそれぞれ複数形成されている。
【００１５】
また、導光板１０８は、側面に光源１０３が設けられる一方、裏面に反射防止膜１１７を介して第３反射板１０９ｃが設けられている。第３反射板１０９ｃは、上記第１反射板１０９ａ及び無反射層１１５に対応する領域には設けられていない。つまり、この領域は、裏面側表示領域１２２に構成されている。
【００１６】
こうして、導光板１０８の光をバックライトとして利用することにより、表側表示領域１２１で表側表示を行う一方、導光板１０８の光をフロントライトとして利用することにより、裏側表示領域１２２で裏側表示を行うようになっている。
【００１７】
しかしながら、上記特許文献２の液晶表示装置では、表側表示領域１２１と裏側表示領域１２２とを表裏に重ねて配置させることができないため、装置の小型化を図ることが困難である。また、３枚の反射板１０９ａ，１０９ｂ，１０９ｃが必要となるため、部品点数が増加して装置コストが嵩んでしまう。
【００１８】
そこで、半透過性を有する反射発泡フィルム（以降、半透過反射発泡フィルムと称する）を反射板に適用することが知られている。例えば、斜視図である図１３と、断面図である図１４とに示すように、液晶表示装置３０１は、表側表示を行うためのメイン液晶表示パネル１０２と、裏側表示を行うためのサブ液晶表示パネル１２４と、該メイン液晶表示パネル１０２及びサブ液晶表示パネル１２４を駆動するＩＣチップ１０５が搭載された駆動回路基板１０６と、液晶表示パネル１０２の背面側（液晶表示パネル１０２を介して観察者側と反対側）に設けられたバックライト１２０と、該バックライト１２０、メイン液晶表示パネル１０２、サブ液晶表示パネル１２４及び駆動回路基板１０９を収納するホルダ１０７とを備えている。
【００１９】
上記サブ液晶表示パネル１２４は、ＦＰＣ１０４を介してメイン液晶表示パネル１０２に接続されている。また、サブ液晶表示パネル１２４には、上記駆動回路基板１０６が接続されている。サブ液晶表示パネル１２４及び駆動回路基板１０６は、ホルダ１０７の背面側に装着されるようになっている。
【００２０】
上記バックライト１２０は、図１０の液晶表示装置１０１と同様に、光源１０３と、該光源１０３の光が入射する導光板１０８と、導光板１０８の背面側に設けられた反射板１０９と、導光板１０８の前面側に設けられた拡散シート１１０及びレンズシート１１１とにより構成されている。ただし、反射板１０９は、上記半透過反射発泡フィルムにより構成されている点で図１０の液晶表示装置と異なっている。
【００２１】
さらに、上記ホルダ１０７は、反射板１０９の裏面を支持する支持面１２５を備えている。支持面１２５には、サブ液晶表示パネル１２４に対応して開口１２６が形成されている。図１４に示すように、開口１２６とサブ液晶表示パネル１２４との間には、拡散シート１２７及びレンズシート１２８が設けられている。
【００２２】
こうして、反射板１０９で反射された光により、メイン液晶表示パネル１０２で表側表示を行う一方、反射板１０９を透過した光により、サブ液晶表示パネル１２４で裏側表示を行うようになっている。
【００２３】
しかしながら、図１３及び図１４で示した液晶表示装置では、反射板１０９が半透過反射発泡フィルムにより構成されているため、反射板１０９の全ての領域に亘って透過率が一定である。すなわち、透過率を低くして（反射率を高くして）、表側表示の画質を優先すると、裏側表示の輝度が低下して画質が劣化するという問題がある。
【００２４】
そこで、反射板１０９に対し、透明基板又は発泡フィルムの表面に、光反射性の塗膜と、遮光性の塗膜とをそれぞれ所定のパターンで印刷する方法や、透明基板上の所定の領域をマスキングした後に金属蒸着を行い、その後、マスキングを除去して、再度、金属蒸着する方法によって、反射領域及び半透過領域を形成することが知られている（例えば、特許文献３参照）。
【特許文献１】特公平８−１６１７５号公報
【特許文献２】特開２００２−１３２１８９号公報
【特許文献３】特開昭６０−２３０６０５号公報
【発明の開示】
【発明が解決しようとする課題】
【００２５】
しかし、上記特許文献３のものでは、反射板の製造に非常に手間がかかるために、コストの上昇が避けられないという問題がある。
【００２６】
本発明は、斯かる諸点に鑑みてなされたものであり、その目的とするところは、半透過領域を有する反射板及びそれを備える照明装置、並びにそれらを備える液晶表示装置について、その構成を簡単にして製造コストを低減すると共に、反射光の輝度と、半透過領域における透過光の輝度とを、それぞれ好適に高めることにある。
【課題を解決するための手段】
【００２７】
上記の目的を達成するために、この発明では、半透過領域を発泡フィルムの薄肉部により構成するようにした。
【００２８】
具体的に、本発明に係る反射板は、多数の微細な気泡を含有する発泡フィルムにより構成され、外光を反射する反射板であって、外光の少なくとも一部を透過させる半透過領域を備え、上記半透過領域は、上記発泡フィルムの薄肉部により構成されている。
【００２９】
上記薄肉部は、圧縮加工により形成されていることが好ましい。
【００３０】
上記薄肉部の外縁部分の少なくとも一部は、発泡フィルムの厚みが該薄肉部の内側から外側へ向かって徐々に大きくなる漸増部により構成されていることが好ましい。
【００３１】
また、本発明に係る照明装置は、上記反射板と、光源と、上記反射板に対向して設けられ、上記光源の光を導く導光体とを備え、上記反射板は、上記導光体から出射した光を反射するように構成されている。
【００３２】
上記反射板の薄肉部は、圧縮加工により形成されていることが好ましい。
【００３３】
上記反射板の薄肉部の外縁部分の少なくとも一部は、発泡フィルムの厚みが該薄肉部の内側から外側へ向かって徐々に大きくなる漸増部により構成されていることが好ましい。
【００３４】
また、本発明に係る液晶表示装置は、上記照明装置と、上記照明装置の表裏両側にそれぞれ設けられた複数の液晶表示パネルとを備え、上記各液晶表示パネルは、上記照明装置の光を調光して表示を行うように構成されている。
【００３５】
上記複数の液晶表示パネルは、メイン液晶表示パネルと、照明装置に対して該メイン液晶表示パネルと反対側に設けられ、表示面積が上記メイン液晶表示パネルよりも小さいサブ液晶表示パネルとを備え、上記サブ液晶表示パネルは、反射板の薄肉部に対向して設けるようにしてもよい。
【００３６】
上記反射板の薄肉部は、サブ液晶表示パネルと同じ面積に構成されていることが好ましい。
【００３７】
上記反射板の薄肉部は、圧縮加工により形成されていることが好ましい。
【００３８】
上記反射板の薄肉部の外縁部分の少なくとも一部は、発泡フィルムの厚みが該薄肉部の内側から外側へ向かって徐々に大きくなる漸増部により構成されていることが好ましい。
【００３９】
−作用−
すなわち、発泡フィルムの内部に入射した外光は、微細な気泡とフィルム基材との界面で散乱されて反射される。その反射率は、外光が入射する発泡フィルムの入射面に対し、その単位面積当たりの気泡の密度が大きいほど、高くなる。
【００４０】
本発明に係る反射板によると、半透過領域の発泡フィルムを、他の領域よりも厚みが小さい薄肉部により構成したため、この薄肉部における単位面積当たりの気泡の密度は、その他の領域よりも低くなる。その結果、半透過領域における反射率を低下させる一方、透過率を高めることが可能となる。また、半透過領域以外の他の領域を、比較的反射率が高い反射領域とすることが可能となる。したがって、発泡フィルムに薄肉部を形成することのみによって、半透過領域が容易に製造されると共に、半透過領域における透過光の輝度と、反射領域における反射光の輝度とがそれぞれ高められることとなる。
【００４１】
また、多数の微細な気泡を略均一に含有する発泡フィルムに対し、部分的に圧縮を加えると、その圧縮により一部の気泡が潰されるため、該圧縮領域における気泡の密度は低下する。すなわち、本発明のように、上記薄肉部を圧縮加工により形成することにより、該薄肉部は、気泡の密度が小さくなって透過率が容易に高められる。また、圧縮加工時に加える圧力を調整することにより、薄肉部の厚みや気泡の密度を容易に調整されるため、薄肉部の透過率の変更が容易に行われる。
【００４２】
また、薄肉部の外縁部分の少なくとも一部を、漸増部によって構成することにより、該漸増部に含まれる気泡の密度は、薄肉部の内側から外側へ向かって徐々に大きくなる。その結果、気泡の密度が連続的に変化するため、薄肉部である半透過領域とその他の領域との境界が視認し難くすることが可能となる。
【００４３】
本発明に係る照明装置によると、光源から出射した光は、導光体に入射して該導光体の内部に導かれる。導光体から出射した光は、上記反射板により反射される。このとき、反射板の半透過領域に入射した光は、一部が反射されると共に、残りの他の一部が透過する。このことにより、反射板の両面側で照明が行われる。
【００４４】
本発明に係る液晶表示装置によると、上記照明装置は、照明装置の表裏両側に設けられた液晶表示パネルに照明光を供給する。その結果、液晶表示装置は、両面表示が可能な両面表示型の液晶表示装置となる。
【００４５】
また、液晶表示パネルを、薄肉部に対向して設けられたサブ液晶表示装置と、照明装置に対して反対側に設けられたメイン液晶表示装置とを備えることにより、サブ液晶表示装置は、反射板の半透過領域を透過した照明装置の透過光によって表示を行う一方、メイン液晶表示装置は、反射板により反射された照明装置の反射光によって表示を行う。
【００４６】
また、薄肉部の面積をサブ液晶表示装置と同じ大きさにすることにより、反射板を透過する光の光量が低減されるため、反射光の輝度の低下が好適に抑制される。
【００４７】
また、薄肉部の外周部分を漸増部に構成することにより、半透過領域と反射領域との境界において透過率の変化が滑らかになるため、メイン液晶表示パネル側から見たときに、サブ液晶表示パネルの映り込みが視認し難くなる。
【発明の効果】
【００４８】
本発明によれば、半透過領域の発泡フィルムを、他の領域よりも厚みが小さい薄肉部により構成したので、この薄肉部における単位面積当たりの気泡の密度を他の領域よりも低くすることができる。その結果、半透過領域における透過率を高めることができると共に、半透過領域以外の他の領域を、比較的反射率が高い反射領域とすることができる。すなわち、発泡フィルムに薄肉部を形成することのみによって、半透過領域を容易に製造できるために製造コストを低減できると共に、半透過領域における透過光の輝度と、反射領域における反射光の輝度とをそれぞれ高めることができる。
【発明を実施するための最良の形態】
【００４９】
以下、本発明の実施形態を図面に基づいて詳細に説明する。尚、本発明は、以下の実施形態に限定されるものではない。また、図１で上側を「表側」とし、下側を「裏側」とする。
【００５０】
《発明の実施形態１》
図１は、本発明に係る反射板及びそれを備える照明装置、並びにそれらを備える液晶表示装置の実施形態１を示しており、液晶表示装置１の要部を模式的に示す断面図である。本実施形態の液晶表示装置１は、装置の表側と裏側との双方で表示を行う両面表示型の液晶表示装置に構成されている。
【００５１】
液晶表示装置１は、照明装置であるバックライト２０と、バックライト２０の表裏両側にそれぞれ設けられた複数の液晶表示パネル２，２４とにより構成されている。
【００５２】
液晶表示パネル２，２４は、バックライト２０の表側に設けられたメイン液晶表示パネル２と、バックライト２０に対してメイン液晶表示パネル２と反対側である裏側に設けられ、表示面積が上記メイン液晶表示パネル２よりも小さいサブ液晶表示パネル２４とにより構成されている。
【００５３】
上記メイン液晶表示パネル２及びサブ液晶表示パネル２４は、それぞれ同様の構成を有している。すなわち、各液晶表示パネル２，２４は、図示を省略するが、一対の透明基板と、該各透明基板の間に設けられた液晶層とにより構成され、例えば長方形に形成されている。各透明基板は、ＴＦＴ等のスイッチング素子を有するスイッチング素子基板と、カラーフィルタ等を備える対向基板とにより構成されている。そして、各液晶表示パネル２，２４は、上記バックライト２０の光を調光して表示を行うように構成されている。
【００５４】
上記バックライト２０は、外光を反射する反射板９と、光源３と、上記反射板９に対向して設けられ、光源３の光を導く導光体８と、通過する光の特性を調整するための拡散シート１０及びレンズシート１１とにより構成されており、いわゆるエッジライト方式のバックライトに構成されている。ここで、外光とは、反射板の外部の光をいう。
【００５５】
上記導光体８は、ポリカーボネートやポリメチルメタクリレート等の透明樹脂材料により構成され、板状の導光板８に形成されている。そして、図示は省略するが、導光板８には、ドットパターンやレンズパターンが施されており、入射した光を導光板８の出射面全体に亘って均一に分配するようになっている。
【００５６】
上記光源３は、例えばＬＥＤ（発光ダイオード）等により構成され、導光板８の側面に沿って複数設けられている。上記反射板９は、導光板８の裏側に設けられ、導光板８から出射した光を表側に反射すると共に、導光板８の出射光の一部を裏側へ透過するように構成されている。
【００５７】
上記拡散シート１０は、導光板８から出射された光を拡散させるためのものであり、導光板８の表側に設けられた第１拡散シート１０ａと、反射板９の裏側に設けられた第２拡散シート１０ｂとにより構成されている。
【００５８】
上記レンズシート１１は、拡散シート１０で拡散された光を集めて液晶表示パネル２，２４へ入射させるためのものであり、第１拡散シート１０ａの表側に設けられた第１レンズシート１１ａと、第２拡散シート１０ｂの裏側に設けられた第２レンズシート１１ｂとにより構成されている。
【００５９】
言い換えれば、上記メイン液晶表示パネル２は、第１レンズシート１１ａの表側に設けられる一方、上記サブ液晶表示パネル２４は、第２レンズシート１１ｂの裏側に設けられている。
【００６０】
上記反射板９は、多数の微細な気泡を含有する発泡フィルムにより構成され、外光を反射する反射領域２１と、外光の少なくとも一部を透過させる半透過領域２２とを備えている。上記発泡フィルムは、例えばポリエステル等の樹脂により構成され、該樹脂内に微細な気泡が含有されることにより白色化されている。そして、反射領域２１では、入射する光の９０％以上を反射するようになっている。
【００６１】
反射板９の半透過領域２２は、発泡フィルムの薄肉部３０により構成されている。すなわち、反射板９の反射領域２１は、比較的厚い所定の厚みを有する一方、半透過領域２２は、反射領域２１よりも薄い所定の厚みを有している。そして、上記反射領域２１では、入射した光の大部分を反射させるのに対し、半透過領域２２では、入射した光の一部を所定の透過率で透過させるようになっている。
【００６２】
また、薄肉部３０（つまり、半透過領域２２）は、図３に拡大して示すように、発泡フィルムの厚みが反射領域２１よりも小さい平面部３１と、平面部３１の外縁に形成され、厚みが薄肉部３０の内側から外側へ向かって徐々に大きくなる漸増部３２とにより構成されている。漸増部３２は、例えば、平面部３１の端部に連続する円弧状に形成されている。尚、漸増部３２は、平面部３１と反射領域２１との境界に設けられていればよい。言い換えれば、薄肉部３０の外縁部分の少なくとも一部が、漸増部３２により構成されていればよい。
【００６３】
そして、上記サブ液晶表示パネル２４は、薄肉部３０に対向して設けられており、薄肉部３０は、サブ液晶表示パネル２４と同じ面積に構成されている。特に、サブ液晶表示パネル２４の面積は、薄肉部３０の平面部３１と同じ面積であることが好ましい。
【００６４】
−反射板の製造方法−
次に、図５〜図７を参照して、本実施形態の反射板９の製造方法について説明する。
【００６５】
反射板９の薄肉部３０は、図５に示すように、ポリエステル等により形成された公知の発泡フィルムに対し、所定の面積（例えば、サブ液晶表示パネル２４に対応する面積）の金型面を有する押し金型２５を、位置合わせした後に、図６に示すように押し付けて、圧縮加工することにより形成する。
【００６６】
押し金型２５の先端部は、図５に示すように、例えば直方体状に形成され、その先端周りのエッジ部１５ａにはＲ加工が施されている。このことにより、図７に示すように、形成した薄肉部３０の外縁部分（つまり、漸増部３２）の表面を円弧面に形成する。
【００６７】
尚、本実施形態では、金型２５の先端周りエッジ部１５ａに対してＲ加工を施したが、その他に、Ｃカット加工等を施すことにより薄肉部３０の漸増部３２に傾斜面を形成するようにしてもよい。また、薄肉部３０と他の領域との境界を目立たなくする必要がない場合には、上記エッジ部１５ａを直角形状にすることにより、薄肉部３０に漸増部３２を設けないように構成してもよい。
【００６８】
−液晶表示装置の作動−
次に、本実施形態の液晶表示装置１の作動について説明する。
【００６９】
まず、光源３の光は、導光板８に入射され、該導光板８の内部で均一に導かれる。導光板８の表側から出射した光は、第１拡散シート１０ａ及び第１レンズシート１１ａを介してメイン液晶表示パネル２へ入射する。
【００７０】
導光板８の裏側から出射した光は、反射板９の反射領域２１及び半透過領域２２で反射する一方、半透過領域２２を透過する。反射領域２１及び半透過領域２２で反射された反射光は、導光板８、第１拡散シート１０ａ及び第１レンズシート１１ａを介して、上記メイン液晶表示パネル２へ入射する。このことにより、メイン液晶表示パネル２によって表側の表示が行われる。
【００７１】
一方、半透過領域２２を透過した透過光は、第２拡散シート１０ｂ及び第２レンズシート１１ｂを介してサブ液晶表示パネル２４へ入射する。このことにより、サブ液晶表示パネル２４によって裏側の表示が行われる。
【００７２】
ここで、反射板９の作用について、反射板９の拡大図である図２〜図４を参照して詳細に説明する。
【００７３】
発泡フィルムの内部に入射した導光板８の光は、微細な気泡４０とフィルム基材との界面で散乱されて反射される。その反射率は、導光板８の光が入射する発泡フィルムの入射面に対し、その単位面積当たりの気泡４０の密度が大きいほど、高くなる。反射領域２１では、気泡４０が比較的高密度で設けられているため、図２に示すように、入射した導光板８の光のほとんどが反射される。
【００７４】
一方、半透過領域２２では、図３に符号４１で示すように、一部の気泡が圧縮加工により潰されているため、気泡４０の密度は比較的低くなっている。その結果、半透過領域２２におけるフィルム樹脂と気泡４０との界面の反射効率が低下するため、半透過領域２２に入射した導光板８の光の一部は透過する一方、他の光は残存している気泡４０により散乱して反射される。特に、半透過領域２２の平面部３１では、フィルムの厚みが最小であるため、透過率が最も高い。一方、漸増部３２では、厚みが増大するに連れて、気泡４０の潰れ度合いが徐々に低下して気泡４０の密度が高くなるため、光の透過率が外側へ向かって徐々に低下していく。
【００７５】
また、裏側から反射板９に入射した外部の光は、図４に示すように、半透過領域２２を透過する。その結果、この半透過領域２２を裏側から表側へ透過する透過光は、半透過領域２２における導光板８の反射光の光量を補償する。尚、図４には、光を破線で示しており、その破線が太いほど光量が多いことを意味している。
【００７６】
−実施形態１の効果−
ところで、仮に、１つの導光板が共通化された両面表示型の液晶表示装置に対し、本実施形態の反射板９を適用しない場合には、導光板のドットパターン等を複雑な光学的構造に形成しなければならず、さらに、光源に供給する電流値を大きくする必要があるため、製造コストやランニングコストが高くなってしまう。
【００７７】
これに対して、本実施形態によると、反射板９における半透過領域２２の発泡フィルムを、他の領域よりも厚みが小さい薄肉部３０により構成したので、この薄肉部３０における単位面積当たりの気泡の密度を他の領域よりも低くすることができる。その結果、半透過領域２２における光の透過率を高めることができると共に、半透過領域２２以外の他の領域を、比較的反射率が高い反射領域２１とすることができる。すなわち、発泡フィルムに薄肉部３０を形成することのみによって、半透過領域２２を容易に製造でき、製造コストを低減させることができる。そのことに加え、半透過領域２２における透過光の輝度と、反射領域２１における反射光の輝度とをそれぞれ高めることができ、ランニングコストを低減させることができる。
【００７８】
また、表側表示と裏側表示とで導光板８を共通化したので、両面表示型の液晶表示装置全体を薄型化すると共に、軽量化することができる。また、１つの導光板８により複数の液晶表示パネル２，２４へ光を供給することができる。
【００７９】
さらに、薄肉部３０を圧縮加工により形成するようにしたので、反射板９をより容易に製造することができる。また、圧縮加工時に加える圧力を調整することにより、薄肉部３０の厚みや気泡の密度を容易に調整できるため、薄肉部３０の透過率の変更を容易に行うことができる。そして、反射板９のフィルム基材を樹脂により構成したので、圧縮加工により容易に薄肉部３０を形成することができる。
【００８０】
さらに、薄肉部３０の外縁部分の少なくとも一部を、漸増部３２により構成したので、該漸増部３２に含まれる気泡の密度を、薄肉部３０の内側から外側へ向かって徐々に大きくすることができる。その結果、気泡の密度が半透過領域２２から反射領域２１に亘って連続的に変化するため、半透過領域２２と反射領域２１との境界線を視認し難くすることができる。また、このように、半透過領域２２と反射領域２１との境界において透過率の変化が滑らかになるため、メイン液晶表示パネル２側から見たときに、サブ液晶表示パネル２４の映り込みを視認し難くすることができ、輝度ムラを低減することができる。
【００８１】
また、薄肉部３０の面積をサブ液晶表示パネル２４と同じにしたので、反射板９を透過する光の光量が全体として低減できるため、表側に反射する反射光の輝度の低下を好適に抑制することができる。
【００８２】
ところで、図４に示すように、半透過領域２２の表側では、導光板８から出射した光の一部が裏側へ透過するために、導光板８の反射光の光量が、反射領域２１よりも減少する。ところが、半透過領域２２の裏側では、外部の光が表側へ透過するため、この透過光により、表側へ向かう光の光量を全体として増加させることができる。つまり、裏側から半透過領域２２に入射する外部光によって、半透過領域２２の表側に供給される光量を補償することができる。
【００８３】
《その他の実施形態》
本発明は、上記実施形態１について、以下のような構成としてもよい。
【００８４】
例えば、図８に示すように、拡散シート１０ａ，１０ｂを省略してもよい。すなわち、この場合には、導光板８の表側に第１レンズシート１１ａが直に接設けられると共に、反射板９の裏側に第２レンズシート１１ｂが直接に設けられている。このことにより、部品点数を減少させてコストの低減を図ることができる。
【００８５】
また、図９に示すように、拡散シート１０ａ，１０ｂを省略した上で、第２レンズシート１１ｂをサブ液晶表示パネル２４と略同じ大きさに形成し、サブ液晶表示パネル２４と薄肉部３０との間に配置させるようにしてもよい。こうすることで、半透過領域２２を透過した光を、第２レンズシート１１ｂにより集めてサブ液晶表示パネル２４へ入射させることができる。また、レンズシートの量を省略してコストをさらに低減させることができる。
【産業上の利用可能性】
【００８６】
以上説明したように、本発明は、半透過領域を有する反射板及びそれを備える照明装置、並びにそれらを備える液晶表示装置について有用であり、特に、反射板の製造コストを低減すると共に、反射光の輝度と、半透過領域における透過光の輝度とをそれぞれ高める場合に適している。
【図面の簡単な説明】
【００８７】
【図１】実施形態１の液晶表示装置の要部を模式的に示す断面図である。
【図２】反射板の反射領域を拡大して示す断面図である。
【図３】反射板の半透過領域を拡大して示す断面図である。
【図４】反射板における光の反射状態及び透過状態を示す説明図である。
【図５】反射板の圧縮加工における位置合わせ状態を示す断面図である。
【図６】反射板の圧縮加工における圧縮状態を示す断面図である。
【図７】反射板の圧縮加工における金型を引き抜いた状態を示す断面図である。
【図８】他の実施形態液晶表示装置の要部を示す断面図である。
【図９】他の実施形態液晶表示装置の要部を示す断面図である。
【図１０】従来の片面表示型の液晶表示装置を示す斜視図である。
【図１１】従来の２組の導光板を有する両面表示型の液晶表示装置を示す斜視図である。
【図１２】従来の１組の導光板を有する両面表示型の液晶表示装置を示す断面図である。
【図１３】従来の発泡フィルムの反射板を有する両面表示型の液晶表示装置を示す斜視図である。
【図１４】図１３の液晶表示装置を模式的に示す断面図である。
【符号の説明】
【００８８】
１  液晶表示装置
２  メイン液晶表示パネル
３  光源
８  導光板（導光体）
９  反射板
２０  バックライト（照明装置）
２２  半透過領域
２４  サブ液晶表示パネル
３０  薄肉部
３２  漸増部
【図１】
2005062716.tif 000003
【図２】
2005062716.tif 000004
【図３】
2005062716.tif 000005
【図４】
2005062716.tif 000006
【図５】
2005062716.tif 000007
【図６】
2005062716.tif 000008
【図７】
2005062716.tif 000009
【図８】
2005062716.tif 000010
【図９】
2005062716.tif 000011
【図１０】
2005062716.tif 000012
【図１１】
2005062716.tif 000013
【図１２】
2005062716.tif 000014
【図１３】
2005062716.tif 000015
【図１４】
2005062716.tif 000016